(57)【特許請求の範囲】
【請求項１】
半導体ウェーハに半導体ウェーハ用治具を取り付け、半導体ウェーハに所定の処理を施す半導体ウェーハの取り扱い方法であって、
半導体ウェーハ用治具は、半導体ウェーハの周縁部に沿うリング形の基材層と、この基材層の半導体ウェーハの片面周縁部に対向する対向面の大部分に積層して設けられ、半導体ウェーハの片面周縁部に剥離可能に粘着する一対の粘着層とを含み、基材層の対向面の大部分以外の残部を一対の粘着層の存在しない剥離契機部に形成し、各粘着層に弱粘着性を付与してその半導体ウェーハに対する粘着面の平均表面粗さＲａを０．５〜５μｍの範囲とし、
半導体ウェーハの裏面がバックグラインドされた場合に、１００μｍ以下の厚さに薄化された半導体ウェーハの表面周縁部に半導体ウェーハ用治具を加圧しながら剥離可能に粘着して半導体ウェーハの強度を向上させ、その後、半導体ウェーハの裏面に回路パターンの形成、ハンダバンプの形成、ストレスリリーフ、ＰＶＤ、ＣＶＤ、あるいはエッチングの少なくとも何れかの処理を施すことを特徴とする半導体ウェーハの取り扱い方法。 
【発明の詳細な説明】
【技術分野】
【０００１】
本発明は、半導体の製造工程で使用される半導体ウェーハの取り扱い方法に関するものである。
【背景技術】
【０００２】
従来における半導体ウェーハは、バックグラインド工程で図示しない薄い半導体パッケージに適合させるため、裏面がバックグラインドされ、ダイシング工程でキャリア治具の粘着テープに粘着支持された後、ダイシングブレードで個々の半導体チップに分離されることにより、多数の半導体チップを形成する（特許文献１、２、３、４参照）。半導体ウェーハのバックグラインド工程においては、半導体ウェーハが回転砥石により１００μｍ以下、時には３０〜５０μｍ程度の厚みに薄く削られるが、そうすると、半導体ウェーハが非常に薄く脆く撓みやすくなるので、ハンドリングや搬送に支障を来たすおそれがある。
【０００３】
係る点に鑑み、従来においては、（１）半導体ウェーハをバックグラインドする際、半導体ウェーハの周縁部を残しながらその内側領域をバックグラインドし、残存する周縁部により半導体ウェーハの剛性を確保して撓みを抑制する方法、（２）半導体ウェーハの周縁部に剛性確保リングを接着剤により位置決め固定し、この剛性確保リングにより、半導体ウェーハに剛性を付与して撓みを抑制防止する方法が提案されている（特許文献５参照）。
【先行技術文献】
【特許文献】
【０００４】
【特許文献１】特開２００９−２６０２１９号公報
【特許文献２】特開２００９−１６４４７６号公報
【特許文献３】特開２００５−１９１０３９号公報
【特許文献４】特許第４２３９９７４号公報
【特許文献５】特開２０１１−１５９８６４号公報
【発明の概要】
【発明が解決しようとする課題】
【０００５】
しかしながら、（１）の方法を採用する場合には、半導体ウェーハの強度を向上させて反りを低減することができるものの、半導体ウェーハの周縁部を残存させるため、専用の装置が必要になり、製造設備やコストの削減を図ることができないという問題が新たに生じることとなる。また近年においては、バックグラインドされた半導体ウェーハの裏面に回路パターンを形成等することがあるが、半導体ウェーハの周縁部が残存していると、半導体ウェーハの裏面から周縁部が上方に一部突出して作業の妨げとなり、半導体ウェーハの裏面に回路パターンを形成等するのがきわめて困難になる。
【０００６】
これに対し、（２）の方法の場合、（１）の問題を解決することができるので、非常に有意義である。しかしながら、大きな問題ではないものの、半導体ウェーハの周縁部に剛性確保リングを重ねて位置決めする際、剛性確保リングの固定に接着剤を使用すると、接着剤による汚染を回避しなければならないので、調整しながらの位置合わせが困難になる事態が予想される。
【０００７】
本発明は上記に鑑みなされたもので、半導体ウェーハの強度を向上させて製造設備やコストの削減を図ることができ、半導体ウェーハのバックグラインドされた面に所定の処理を容易に施すことのできる半導体ウェーハの取り扱い方法を提供することを目的としている。
【課題を解決するための手段】
【０００８】
本発明においては上記課題を解決するため、半導体ウェーハに半導体ウェーハ用治具を取り付け、半導体ウェーハに所定の処理を施す半導体ウェーハの取り扱い方法であって、
半導体ウェーハ用治具は、半導体ウェーハの周縁部に沿うリング形の基材層と、この基材層の半導体ウェーハの片面周縁部に対向する対向面の大部分に積層して設けられ、半導体ウェーハの片面周縁部に剥離可能に粘着する一対の粘着層とを含み、基材層の対向面の大部分以外の残部を一対の粘着層の存在しない剥離契機部に形成し、各粘着層に弱粘着性を付与してその半導体ウェーハに対する粘着面の平均表面粗さＲａを０．５〜５μｍの範囲とし、
半導体ウェーハの裏面がバックグラインドされた場合に、１００μｍ以下の厚さに薄化された半導体ウェーハの表面周縁部に半導体ウェーハ用治具を加圧しながら剥離可能に粘着して半導体ウェーハの強度を向上させ、その後、半導体ウェーハの裏面に回路パターンの形成、ハンダバンプの形成、ストレスリリーフ、ＰＶＤ、ＣＶＤ、あるいはエッチングの少なくとも何れかの処理を施すことを特徴としている。
【０００９】
なお、剥離契機部を、基材層の対向面残部と粘着層の端部との間に区画形成することができる。
【００１０】
また、粘着層を複数に分割し、これら複数の粘着層の両端部を対向面の残部を介して対向させることが可能である。
また、半導体ウェーハを搭載するテーブルを備え、このテーブルの表面に、半導体ウェーハ用治具を収容する収容溝を形成することが可能である。
さらに、半導体ウェーハの裏面に所定の処理を施した後、半導体ウェーハの表面から半導体ウェーハ用治具を剥離し、半導体ウェーハの表面をキャリア治具の粘着テープに粘着し、半導体ウェーハに所定の処理を施すことも可能である。
【００１１】
ここで、特許請求の範囲における半導体ウェーハは、φ１５０、２００、３００、４５０ｍｍタイプ等を特に問うものではない。この半導体ウェーハの片面は、半導体ウェーハの表面でも良いし、裏面でも良い。また、基材層と粘着層とは、同じ厚さや幅でも良いし、異なる厚さ・幅でも良い。これら基材層と粘着層とは、一体成形しても良いし、別々に形成することもできる。
【００１２】
基材層は、主にリング形に形成され、透明、不透明、半透明、着色、可撓性の有無を特に問うものではない。さらに、半導体ウェーハに施す所定の処理には、少なくとも２３０〜２６０℃での回路パターンやハンダバンプの形成、ストレスリリーフ、１００〜２００℃でのＰＶＤ、８０〜２００℃でのＣＶＤ、エッチング、バックグラインド、ダイシング等が該当する。 
【００１３】
本発明によれば、半導体ウェーハ用治具がバックグラインドされた薄い半導体ウェーハの表面周縁部に粘着して半導体ウェーハの強度を増大させる。したがって、半導体ウェーハの裏面周縁部に半導体ウェーハ用治具が存在して凸凹を形成し、作業の妨げとなることが少ない。
【発明の効果】
【００１４】
本発明によれば、バックグラインドされた薄く脆い半導体ウェーハの周縁部に半導体ウェーハ用治具を沿わせて粘着することにより、半導体ウェーハの強度を増大させることができるので、半導体ウェーハの反りや撓みを有効に防止し、後のハンドリングや搬送の円滑化を図ることができる。したがって、半導体ウェーハの周縁部を残しながらその内側領域をバックグラインドする必要がなく、専用の装置を確実に省略することができるので、製造設備やコストの大幅な削減が期待できるという効果がある。また、半導体ウェーハの露出した裏面の周縁部から半導体ウェーハ用治具が突出して凸凹を形成し、作業の妨げとなることがないので、半導体ウェーハの裏面に回路パターンを円滑かつ容易に形成することができる。また、汚染の原因となる接着剤を何ら要しないので、作業の遅延や煩雑化を招くこともない。また、作業毎に半導体ウェーハ用治具を廃棄することなく、再利用等することもできる。
【００１５】
また、粘着層粘着面の表面粗さを数値限定するので、半導体ウェーハに半導体ウェーハ用治具を重ねてその位置を繰り返しながら微調整し、正確に位置合わせすることが可能になる。すなわち、各粘着層粘着面の平均表面粗さＲａが０．５〜５μｍの範囲なので、半導体ウェーハの表面周縁部に半導体ウェーハ用治具を重ねて位置決めする際、半導体ウェーハ用治具を軽く重ねるだけで粘着することがなく、半導体ウェーハ用治具を前後左右に滑らせる作業に資することが可能になる。また、半導体ウェーハの表面周縁部に対して半導体ウェーハ用治具が粘着しなくなる事態を防ぐことも可能になる。さらに、半導体ウェーハ用治具の剥離契機部に指や治具等を干渉させて持ち上げることができるので、半導体ウェーハの周縁部から半導体ウェーハ用治具を簡単、かつ安全に取り外すことができる。
【図面の簡単な説明】
【００１６】
【図１】本発明に係る半導体ウェーハの取り扱い方法の実施形態を模式的に示す断面説明図である。
【図２】本発明に係る半導体ウェーハの取り扱い方法の実施形態における半導体ウェーハと半導体ウェーハ用治具との関係を模式的に示す斜視説明図である。
【図３】本発明に係る半導体ウェーハの取り扱い方法の実施形態における半導体ウェーハと半導体ウェーハ用治具との関係を模式的に示す正面説明図である。
【図４】本発明に係る半導体ウェーハの取り扱い方法の実施形態における半導体ウェーハ用治具を模式的に示す裏面説明図である。
【発明を実施するための形態】
【００１７】
以下、図面を参照して本発明の実施形態を説明すると、本実施形態における半導体ウェーハの取り扱い方法は、図１ないし図４に示すように、半導体ウェーハ１の裏面３がバックグラインドされた場合に、半導体ウェーハ１の表面周縁部に半導体ウェーハ用治具１０を剥離可能に粘着し、半導体ウェーハ１の裏面３に所定の条件下で所定の処理を施すようにしている。
【００１８】
半導体ウェーハ１は、図１や図２に示すように、例えばφ２００ｍｍの平面円形のシリコンウェーハからなり、表面２に回路パターンが形成されており、裏面３が図示しない汎用のバックグラインド装置でバックグラインドされることにより、１００μｍ以下の厚さに薄化される。この半導体ウェーハ１は、周縁部に、結晶方向の判別や整列を容易にする平面略Ｖ字形のノッチ４が切り欠かれ、バックグラインドされた裏面３に所定の処理、例えば回路パターンが形成される。
【００１９】
半導体ウェーハ用治具１０は、薄い半導体ウェーハ１の表面２に対向するエンドレスの基材層１１と、この基材層１１に積層されて半導体ウェーハ１の表面周縁部に剥離可能に粘着する一対の粘着層１５とを二層構造に備え、基材層１１の大部分に一対の粘着層１５が積層され、大部分以外の残部１４が粘着層１５の存在しない一対の剥離契機部１７に形成されており、各粘着層１５の粘着面１６の平均表面粗さＲａが所定の範囲内に設定される。
【００２０】
基材層１１と粘着層１５とは、図３や図４に示すように、例えば基材層１１と粘着層１５とが同じ幅に形成されるが、製造や作業の便宜を図りたい場合等には、基材層１１の幅が粘着層１５の幅よりもやや広く形成される。
【００２１】
基材層１１は、図２ないし図４に示すように、所定の材料により薄い平面リング形に形成され、加工時に半導体ウェーハ１を位置決め固定する複数の固定孔１２が周方向に所定の間隔で穿孔されており、半導体ウェーハ１の表面周縁部に対向する。この基材層１１の材料としては、特に限定されるものではないが、例えばシリコン、ガラスエポキシ樹脂やガラスクロス複合材、カーボン繊維強化プラスチック、液晶ポリマー、ポリエーテルエーテルケトン、ポリエーテルイミド、ポリイミド、金属（アルミニウム、ＳＵＳ、タングステン、鉄−ニッケル合金（４２アロイ等））、その他の合金等があげられる。これらの中でも、機械的特性、吸湿性、強度、熱伝導率、耐熱温度、電気的特性に優れるガラスエポキシ樹脂の採用が最適である。
【００２２】
基材層１１は、半導体ウェーハ１と同径か、あるいは僅かに拡径に形成される。基材層１１は、半導体ウェーハ１と同径の場合には、外周縁が半導体ウェーハ１の周縁部に整合するよう揃えられ、半導体ウェーハ１よりも僅かに拡径の場合には、外周縁が半導体ウェーハ１の周縁部から３ｍｍ以内で周縁部に沿うよう近接保護する。基材層１１が半導体ウェーハ１よりも僅かに拡径に形成される場合、図示しないハンドリング装置の位置決め治具等が薄い半導体ウェーハ１のエッジに直接接触し、半導体ウェーハ１のエッジにチッピングやクラック等が発生するのを有効に抑制することができる。
【００２３】
一対の粘着層１５は、図３や図４に示すように、弱粘着性等に優れる所定の材料により厚さ２００μｍ以下（例えば、１００μｍ程度）の薄い平面略半円弧形にそれぞれ湾曲形成され、半導体ウェーハ１の表面周縁部に対向する基材層１１の平坦な対向面１３に積層粘着されており、半導体ウェーハ１の表面周縁部に着脱自在に粘着する。各粘着層１５の材料としては、特に限定されるものではないが、例えば、６０℃程度で剥離強度が低下し、しかも、耐熱性等に優れるシリコーンゴムやフッ素ゴム等があげられる。これらの材料には必要な所定のフィラーが添加される。
【００２４】
各粘着層１５の半導体ウェーハ１の表面周縁部に粘着する粘着面１６は、粘着層１５が金型による成形法で成形される場合、金型のキャビティによる転写法、あるいは成形材料にシリカからなるフィラーを添加する等の方法により粗く形成される。この粘着面１６の平均表面粗さ（算術表面粗さ）Ｒａは、専用の表面粗さ測定機、レーザ顕微鏡、又は三次元走査型電子顕微鏡等の測定により、０．５〜５μｍの範囲であることが好ましい。
【００２５】
これは、粘着面１６の平均表面粗さＲａが０．５μｍ未満の場合には、半導体ウェーハ１の表面周縁部に半導体ウェーハ用治具１０を重ねて位置決めする際、半導体ウェーハ用治具１０を軽く重ねるだけでも粘着してしまい、半導体ウェーハ用治具１０を前後左右に滑らせる作業に重大な支障を来たすからである。また、Ｒａが５μｍを超える場合には、半導体ウェーハ１の表面周縁部に対して半導体ウェーハ用治具１０が粘着しなくなるからである。このような一対の粘着層１５は、基材層１１の対向面１３の大部分に積層粘着され、両端部が対向面１３の大部分以外の残部１４において隙間を介し対向する。
【００２６】
各剥離契機部１７は、図３や図４に示すように、対向面１３の残部１４と一対の粘着層１５の両端部との間に空隙として区画形成され、半導体ウェーハ１から粘着した半導体ウェーハ用治具１０を剥離する際のきっかけとなる。各剥離契機部１７には、基材層１１の固定孔１２が作業用の目印として選択的に位置する。
【００２７】
上記構成において、バックグラインドされた半導体ウェーハ１の裏面３に回路パターンを形成する場合には、先ず、バックグラインドされた薄い半導体ウェーハ１の回路パターンが形成された表面２を上面とし、この半導体ウェーハ１の表面周縁部に半導体ウェーハ用治具１０の粘着層１５を軽く重ねて前後左右に位置合わせし、この半導体ウェーハ用治具１０をローラ等により加圧して隙間なく着脱自在に粘着する。
【００２８】
この際、粘着面１６の平均表面粗さＲａが０．５μｍ以上なので、半導体ウェーハ用治具１０を軽く重ねただけでは粘着せず、半導体ウェーハ用治具１０を幾度もずらして適切に位置合わせすることができる。また、Ｒａが５μｍ以下であるから、半導体ウェーハ１の表面周縁部に対して半導体ウェーハ用治具１０を確実に圧着することができる。半導体ウェーハ１の周縁部に半導体ウェーハ用治具１０の外周縁を位置決めする場合、半導体ウェーハ１のノッチ４に半導体ウェーハ用治具１０の剥離契機部１７を対向させることが可能である。
【００２９】
次いで、半導体ウェーハ１の表面２を下向きにして多孔質のチャックテーブル２０上に位置決めセットし、チャックテーブル２０用の真空ポンプ２１を駆動してチャックテーブル２０の表面に半導体ウェーハ１を真空吸着すれば、半導体ウェーハ１の露出した裏面３に上方から回路パターンを２３０〜２６０℃の温度条件で形成することができる（図１参照）。
【００３０】
この際、半導体ウェーハ１とチャックテーブル２０の表面との間に段差が生じないよう、チャックテーブル２０の表面に平面円形の収容溝２２を予め切り欠き、この収容溝２２に半導体ウェーハ用治具１０を収容して半導体ウェーハ１とチャックテーブル２０の表面とを略面一に整合させることが好ましい。
【００３１】
また、半導体ウェーハ表面２の回路パターンを保護したい場合には、半導体ウェーハ表面２に保護フィルムを積層した後、チャックテーブル２０に半導体ウェーハ１を真空吸着すれば良い。また、半導体ウェーハ１の裏面３には、ストレスリリーフ、１００〜２００℃の温度条件下でのＰＶＤ、８０〜２００℃の温度条件下でのＣＶＤ、エッチング、ハンダバンプの形成等の処理を代わりに施すこともできる。
【００３２】
半導体ウェーハ１の裏面３に回路パターンを形成した後、半導体ウェーハ１をダイシング処理したい場合には、先ず、チャックテーブル２０用の真空ポンプ２１を停止してチャックテーブル２０の表面から半導体ウェーハ１を取り外し、この半導体ウェーハ１の表面２から半導体ウェーハ用治具１０を剥離する。
【００３３】
半導体ウェーハ用治具１０の剥離に際しては、半導体ウェーハ用治具１０の剥離契機部１７に指先等を係止して引き上げれば、半導体ウェーハ１の表面周縁部から粘着層１５が徐々に剥がれ、半導体ウェーハ用治具１０を完全に取り外すことができる。このとき、５０℃〜１５０℃、好ましくは６０℃程度の加熱で剥離強度が低下する粘着層１５の特性を利用すれば、剥離に要する力が２／３〜１／４程度に軽減されるので、半導体ウェーハ用治具１０の取り外しが簡単になる。
【００３４】
次いで、半導体ウェーハ１の表面２をキャリア治具の粘着テープに粘着するとともに、キャリア治具をチャックテーブル２０上に搭載し、チャックテーブル２０上にキャリア治具を真空ポンプ２１で真空吸着した後、半導体ウェーハ１に裏面３側から高速回転するダイシングブレードでダイシング処理を施せば、半導体ウェーハ１の破損を招くことなく、多数の半導体チップを容易に得ることが可能となる。
【００３５】
なお、チャックテーブル２０の表面から半導体ウェーハ１を取り外し、半導体ウェーハ１の裏面３をキャリア治具の粘着テープに粘着し、キャリア治具をチャックテーブル２０上に搭載するとともに、チャックテーブル２０上にキャリア治具を真空ポンプ２１で真空吸着し、半導体ウェーハ１の表面２から半導体ウェーハ用治具１０を剥離した後、半導体ウェーハ１に表面２側からダイシングブレードでダイシング処理を施しても、多数の半導体チップを得ることが可能となる。
【００３６】
上記構成によれば、バックグラインドされた薄く脆い半導体ウェーハ１の周縁部に半導体ウェーハ用治具１０を沿わせて粘着することにより、半導体ウェーハ１の強度を増大させることができるので、半導体ウェーハ１の反りや撓みを有効に防止し、後のハンドリングや搬送の円滑化を図ることができる。したがって、半導体ウェーハ１の周縁部を残しながらその内側領域をバックグラインドする必要がなく、専用の装置を確実に省略することができるので、製造設備やコストの大幅な削減が期待できる。
【００３７】
また、半導体ウェーハ１の露出した裏面３の周縁部から半導体ウェーハ用治具１０が突出して凸凹を形成し、作業の妨げとなることがないので、半導体ウェーハ１の裏面３に回路パターンを円滑かつ容易に形成することができる。また、半導体ウェーハ１に半導体ウェーハ用治具１０を接着剤により剥離不能に固着するのではなく、弱粘着性の粘着層１５を利用してその粘着面１６の表面粗さを数値限定するので、半導体ウェーハ１に半導体ウェーハ用治具１０を重ねてその位置を手作業で繰り返しながら微調整し、精確に位置合わせすることができる。
【００３８】
また、汚染の原因となる接着剤を何ら要しないので、作業の遅延や煩雑化を招くこともない。また、作業毎に半導体ウェーハ用治具１０を廃棄することなく、再利用等することも可能となる。さらに、剥離契機部１７に指先を引っかけて持ち上げることができるので、半導体ウェーハ１の周縁部から密着状態の半導体ウェーハ用治具１０を簡単、かつ安全に取り外すことができ、作業の遅延や煩雑化のおそれを有効に排除することが可能になる。
【００３９】
なお、上記実施形態では一対の粘着層１５を用いたが、粘着層１５を複数に分割（例えば、三分割や四分割等）してこれら複数の粘着層１５を隙間を介して突き合わせ、この複数の粘着層１５間の隙間をそれぞれ剥離契機部１７としても良い。また、基材層１１の対向面１３に一対の粘着層１５ではなく、平面リング形の粘着層１５を積層粘着して剥離契機部１７を省略しても良い。
【産業上の利用可能性】
【００４０】
本発明に係る半導体ウェーハの取り扱い方法は、半導体製造の分野等で使用することができる。
【符号の説明】
【００４１】
１        半導体ウェーハ
２        表面
３        裏面
１０      半導体ウェーハ用治具
１１      基材層
１３      対向面
１４      残部
１５      粘着層
１６      粘着面
１７      剥離契機部
２０      チャックテーブル
２２      収容溝
【図１】
0005950644.tif 000002
【図２】
0005950644.tif 000003
【図３】
0005950644.tif 000004
【図４】
0005950644.tif 000005